(57)【要約】【課題】親機と子機とで別々の時刻が設定された場合にも、親機及び子機の時計データを適切に自動調整することが可能な時間設定システムを提供する。【解決手段】時間設定システムは、時計機能を有すると共に通信を行う第１装置及び第２装置を具備する。第１装置は、第２装置から受信された時計データを格納すると共に、当該時計データをカウントアップし、カウントアップされた時計データを第２装置に対して送信する。一方、第２装置は、第１装置で格納・カウントアップされた時計データを受信して、当該時計データに基づいて自己の時計データを設定する。このような時間設定システムによれば、第１装置で第２装置の時計データを格納してカウントアップすることで、この時計データを用いて、第２装置の時計データを適切に自動調整することができる。【選択図】図１
2010014605.tif 000002
【特許請求の範囲】
【請求項１】
時計機能を有する第１装置と、時計機能を有し、前記第１装置と通信を行う第２装置とを具備する時間設定システムであって、
前記第１装置は、
前記第２装置の時計データを受信する第１受信手段と、
前記第１受信手段にて受信した時計データを格納して、当該時計データをカウントアップする第１カウントアップ手段と、
前記第１カウントアップ手段によってカウントアップされたカウントアップ時計データを、前記第２装置に対して送信する第１送信手段と、を備え、
前記第２装置は、
前記第１送信手段から送信された前記カウントアップ時計データを受信する第２受信手段と、
前記第２受信手段によって受信された前記カウントアップ時計データに基づいて、前記第２装置の時計データを設定する第２時計データ設定手段と、を備えることを特徴とする時間設定システム。
【請求項２】
前記第２受信手段は、前記第１装置と前記第２装置との通信状態が通信不可能状態から通信可能状態となった際に、前記第１送信手段に対して前記カウントアップ時計データの送信を要求することを特徴とする請求項１に記載の時間設定システム。
【請求項３】
前記第２受信手段は、前記第２装置の電源がオフからオンとなった際に、前記第１送信手段に対して前記カウントアップ時計データの送信を要求することを特徴とする請求項１又は２に記載の時間設定システム。
【請求項４】
前記第１装置は、自己の時計データが設定されていない場合に、前記第１受信手段にて受信された前記第２装置の時計データに基づいて前記自己の時計データを設定する手段を備えることを特徴とする請求項１乃至３のいずれか一項に記載の時間設定システム。
【請求項５】
前記第１装置は、ユーザからの設定に応じて、前記第１受信手段にて受信された前記第２装置の時計データに基づいた自己の時計データの設定方法を変更する手段を備えることを特徴とする請求項１乃至３のいずれか一項に記載の時間設定システム。
【請求項６】
前記第２装置は、当該第２装置が前記第１装置の通信圏外にある際に、自己の時計データのカウントアップ及び前記自己の時計データの表示を停止する手段を更に備えることを特徴とする請求項１乃至５のいずれか一項に記載の時間設定システム。
【請求項７】
前記第１装置は、前記第２装置と通信を行うと共に前記時計機能を有する複数の装置を有し、
前記複数の装置は、それぞれ、前記第１受信手段、前記第１カウントアップ手段、及び前記第１送信手段を備え、
前記第２受信手段は、前記複数の装置における前記第１送信手段から、複数のカウントアップ時計データを受信し、
前記第２時計データ設定手段は、前記複数のカウントアップ時計データを比較することによって、前記第２装置の時計データを設定することを特徴とする請求項１乃至６のいずれか一項に記載の時間設定システム。
【請求項８】
前記第２装置は、
前記第２受信手段によって、前記第１装置の時計データを受信し、
前記第２受信手段にて受信した時計データを格納して、当該時計データをカウントアップする第２カウントアップ手段と、
前記第２カウントアップ手段によってカウントアップされたカウントアップ時計データを、前記第１装置に対して送信する第２送信手段と、を更に備え、
前記第１装置は、
前記第１受信手段によって、前記第２送信手段から送信された前記カウントアップ時計データを受信し、
前記第１受信手段によって受信された前記カウントアップ時計データに基づいて、前記第１装置の時計データを設定する第１時計データ設定手段と、を備えることを特徴とする請求項１乃至７のいずれか一項に記載の時間設定システム。
【請求項９】
前記第１カウントアップ手段は、前記第２装置の時計データを格納していない場合には、前記第１受信手段によって受信された前記カウントアップ時計データをそのまま格納してカウントアップし、
前記第２カウントアップ手段は、前記第１装置の時計データを格納していない場合には、前記第２受信手段によって受信された前記カウントアップ時計データをそのまま格納してカウントアップすることを特徴とする請求項８に記載の時間設定システム。
【請求項１０】
前記第１送信手段は、前記第１受信手段が前記カウントアップ時計データを受信する際に、前記第１カウントアップ手段がカウントアップしたカウントアップ時計データを前記第２装置に対して送信し、
前記第２送信手段は、前記第２受信手段が前記カウントアップ時計データを受信する際に、前記第２カウントアップ手段がカウントアップしたカウントアップ時計データを前記第１装置に対して送信することを特徴とする請求項８又は９に記載の時間設定システム。
【請求項１１】
前記第１装置と前記第２装置とは、親子関係を形成して通信を行うことを特徴とする請求項１乃至１０のいずれか一項に記載の時間設定システム。
【請求項１２】
前記第１装置及び前記第２装置の少なくともいずれかが回線に接続されており、コードレス電話機として構成されていることを特徴とする請求項１乃至１１のいずれか一項に記載の時間設定システム。
【発明の詳細な説明】
【技術分野】
【０００１】
本発明は、時計機能を有する親機及び子機を備える時間設定システムに関する。
【背景技術】
【０００２】
従来から、時計機能を有する親機及び子機が通信を行うことで、親機及び子機の少なくともいずれか一方の時間を調整することが行われている。例えば、特許文献１には、所定の期間毎に双方向の送信を行い、親子機内の時計回路の時刻調整を簡単化した調整方法が提案されている。また、特許文献２には、標準電波を受信して子時計のモータ駆動用コイルで受信可能な時刻信号を作成する親時計と、駆動モータにおける駆動用コイルで親機からの時刻信号を受信し、受信した時刻信号で時刻カウンタを修正する子機と、を有する時計システムが提案されている。
【０００３】
【特許文献１】特開平１１−２２５３７２号公報
【特許文献２】特開２００４−２０２１８号公報
【発明の開示】
【発明が解決しようとする課題】
【０００４】
しかしながら、上記した特許文献１及び２に記載された技術は、ユーザの好みに応じて親機と子機とで別々の時刻を設定するような場合（例えば、親機に日本時刻を設定して、子機にアメリカ時刻を設定するような場合）に、好適に適用することができなかった。例えば、当該技術においては、親機又は子機が受信した時刻が一定以上の誤差があると、受信された時刻にて更新されてしまい、親機及び子機のいずれかの時刻にて他方の時刻が合わされてしまう場合があった。
【０００５】
本発明が解決しようとする課題は上記のようなものが例として挙げられる。本発明は、親機と子機とで別々の時刻が設定された場合にも、親機及び子機の時計データを適切に自動調整することが可能な時間設定システムを提供することを課題とする。
【課題を解決するための手段】
【０００６】
請求項１に記載の発明では、時計機能を有する第１装置と、時計機能を有し、前記第１装置と通信を行う第２装置とを具備する時間設定システムにおいて、前記第１装置は、前記第２装置の時計データを受信する第１受信手段と、前記第１受信手段にて受信した時計データを格納して、当該時計データをカウントアップする第１カウントアップ手段と、前記第１カウントアップ手段によってカウントアップされたカウントアップ時計データを、前記第２装置に対して送信する第１送信手段と、を備え、前記第２装置は、前記第１送信手段から送信された前記カウントアップ時計データを受信する第２受信手段と、前記第２受信手段によって受信された前記カウントアップ時計データに基づいて、前記第２装置の時計データを設定する第２時計データ設定手段と、を備える。
【発明を実施するための最良の形態】
【０００７】
本発明の１つの実施形態では、時計機能を有する第１装置と、時計機能を有し、前記第１装置と通信を行う第２装置とを具備する時間設定システムにおいて、前記第１装置は、前記第２装置の時計データを受信する第１受信手段と、前記第１受信手段にて受信した時計データを格納して、当該時計データをカウントアップする第１カウントアップ手段と、前記第１カウントアップ手段によってカウントアップされたカウントアップ時計データを、前記第２装置に対して送信する第１送信手段と、を備え、前記第２装置は、前記第１送信手段から送信された前記カウントアップ時計データを受信する第２受信手段と、前記第２受信手段によって受信された前記カウントアップ時計データに基づいて、前記第２装置の時計データを設定する第２時計データ設定手段と、を備える。
【０００８】
上記の時間設定システムは、時計機能を有すると共に通信を行う第１装置及び第２装置を具備する。第１装置は、第２装置から受信された時計データを格納すると共に、当該時計データをカウントアップし、カウントアップされた時計データを第２装置に対して送信する。一方、第２装置は、第１装置で格納・カウントアップされた自己の時計データを受信して、当該時計データに基づいて時計データを設定する。当該時間設定システムによれば、第１装置で第２装置の時計データを格納してカウントアップすることで、この時計データを用いて、第２装置の時計データを適切に自動調整することができる。
【０００９】
上記の時間設定システムの一態様では、前記第２受信手段は、前記第１装置と前記第２装置との通信状態が通信不可能状態から通信可能状態となった際に、前記第１送信手段に対して前記カウントアップ時計データの送信を要求する。これにより、例えば第２装置が第１装置の通信圏外に一度出てから通信圏内に再度戻った際などに、第２装置の時計データを適切に自動調整することができる。
【００１０】
上記の時間設定システムの他の一態様では、前記第２受信手段は、前記第２装置の電源がオフからオンとなった際に、前記第１送信手段に対して前記カウントアップ時計データの送信を要求する。これにより、第２装置の時計データを適切に自動調整することができる。
【００１１】
上記の時間設定システムの他の一態様では、前記第１装置は、自己の時計データが設定されていない場合に、前記第１受信手段にて受信された前記第２装置の時計データに基づいて前記自己の時計データを設定する手段を備える。
【００１２】
上記の時間設定システムの他の一態様では、前記第１装置は、ユーザからの設定に応じて、前記第１受信手段にて受信された前記第２装置の時計データに基づいた自己の時計データの設定方法を変更する手段を備える。これにより、ユーザの好みを適切に反映することが可能となる。
【００１３】
上記の時間設定システムの他の一態様では、前記第２装置は、当該第２装置が前記第１装置の通信圏外にある際に、自己の時計データのカウントアップ及び前記自己の時計データの表示を停止する手段を更に備える。これにより、第２装置における電池の消耗を低減し、長持ちさせることが可能となる。例えば、時計データのカウントアップのために専用の水晶発振子などが実装されている場合には、その動作を停止することができるので、電池の消耗を低減することができる。したがって、第２装置が第１装置の通信圏内に戻ったときに速やかに時計データを使用可能になったり、また、第２装置の電池の消耗を押さえたりすることが可能となる。
【００１４】
上記の時間設定システムの他の一態様では、前記第１装置は、前記第２装置と通信を行うと共に前記時計機能を有する複数の装置を有し、前記複数の装置は、それぞれ、前記第１受信手段、前記第１カウントアップ手段、及び前記第１送信手段を備え、前記第２受信手段は、前記複数の装置における前記第１送信手段から、複数のカウントアップ時計データを受信し、前記第２時計データ設定手段は、前記複数のカウントアップ時計データを比較することによって、前記第２装置の時計データを設定する。
【００１５】
上記の時間設定システムの他の一態様では、前記第２装置は、前記第２受信手段によって、前記第１装置の時計データを受信し、前記第２受信手段にて受信した時計データを格納して、当該時計データをカウントアップする第２カウントアップ手段と、前記第２カウントアップ手段によってカウントアップされたカウントアップ時計データを、前記第１装置に対して送信する第２送信手段と、を更に備え、前記第１装置は、前記第１受信手段によって、前記第２送信手段から送信された前記カウントアップ時計データを受信し、前記第１受信手段によって受信された前記カウントアップ時計データに基づいて、前記第１装置の時計データを設定する第１時計データ設定手段と、を備える。
【００１６】
この態様では、第１装置と第２装置とが双方向通信することで、互いの時計データの設定を行う。具体的には、第２装置は、第１装置から受信された時計データを格納すると共に、当該時計データをカウントアップし、カウントアップされた時計データを第１装置に対して送信する。一方、第１装置は、第２装置で格納・カウントアップされた自己の時計データを受信して、当該時計データに基づいて時計データを設定する。これにより、第１装置及び第２装置で互いの時計データをバックアップしてカウントアップするため、第１装置及び第２装置の両方の時計データを適切に自動調整することができる。
【００１７】
上記の時間設定システムにおいて好適には、前記第１カウントアップ手段は、前記第２装置の時計データを格納していない場合には、前記第１受信手段によって受信された前記カウントアップ時計データをそのまま格納してカウントアップし、前記第２カウントアップ手段は、前記第１装置の時計データを格納していない場合には、前記第２受信手段によって受信された前記カウントアップ時計データをそのまま格納してカウントアップする。
【００１８】
上記の時間設定システムにおいて好適には、前記第１送信手段は、前記第１受信手段が前記カウントアップ時計データを受信する際に、前記第１カウントアップ手段がカウントアップしたカウントアップ時計データを前記第２装置に対して送信し、前記第２送信手段は、前記第２受信手段が前記カウントアップ時計データを受信する際に、前記第２カウントアップ手段がカウントアップしたカウントアップ時計データを前記第１装置に対して送信する。
【００１９】
上記の時間設定システムにおいて好適には、前記第１装置と前記第２装置とは、親子関係を形成して通信を行う。
【００２０】
また、好適な実施例では、前記第１装置及び前記第２装置の少なくともいずれかが回線に接続されており、コードレス電話機として構成されている。
【実施例】
【００２１】
以下、図面を参照して本発明の好適な実施例について説明する。
【００２２】
［第１実施例］
まず、本発明の第１実施例について説明する。
【００２３】
図１は、第１実施例に係るコードレス電話機１００の概略構成図を示す。なお、コードレス電話機１００は、本発明における時間設定システムの一例である。
【００２４】
コードレス電話機１００は、親機２０及び子機３０を有する。親機２０と子機３０とは無線接続されており、それぞれ時計機能を有している。
【００２５】
親機２０は、主に、主制御部２１と、表示部２２と、操作部２３と、電源部２４と、無線部２５と、アンテナ２５ａと、親機時計部２６と、メモリ部２７と、回線制御部２８と、子機時計バックアップ時計部２９と、を備える。主制御部２１は親機２０全体の動作を制御し、表示部２２は画像を表示可能に構成され、操作部２３はユーザにより操作可能に構成され、ユーザからの入力を取得して主制御部２１に出力し、電源部２４は外部から供給された電力を親機２０内の各部に適正な電力で供給可能に構成されている。無線部２５はアンテナ２５ａを介して子機３０と無線通信可能に構成され、親機時計部２６は親機２０の時計データを格納すると共にカウントアップ（更新）する。メモリ部２７は種々の情報を記憶し、回線制御部２８は電話回線に接続されている。子機時計バックアップ時計部２９は、子機３０から取得された時計データ（以下、「子機時計バックアップデータ」）を格納すると共にカウントアップ（更新）する。具体的には、子機時計バックアップ時計部２９は、子機３０から時計データが取得された時点から、当該時計データのカウントアップを行う。例えば、時計データが取得された時点から１分３２秒後は、当該時計データに対して１分３２秒を加算した時計データとなる。なお、親機２０は、第１装置に相当し、第１カウントアップ手段及び第１送信手段として機能する。また、子機時計バックアップデータは、カウントアップ時計データに相当する。
【００２６】
子機３０は、主に、主制御部３１と、表示部３２と、操作部３３と、電源部（バッテリ）３４と、無線部３５と、アンテナ３５ａと、子機時計部３６と、メモリ部３７と、を備える。主制御部３１は子機３０全体の動作を制御し、表示部３２は画像を表示可能に構成され、操作部３３はユーザにより操作可能に構成され、ユーザからの入力を取得して主制御部３１に出力し、電源部３４は子機３０全体の電源として機能する。また、無線部３５はアンテナ３５ａを介して親機２０と無線通信可能に構成され、子機時計部３６は子機３０の時計データを格納すると共にカウントアップ（更新）し、メモリ部３７は種々の情報を記憶する。なお、子機３０は、第２装置に相当し、第２受信手段及び第２時計データ設定手段として機能する。
【００２７】
ここで、第１実施例に係るコードレス電話機１００が行う処理の概要について説明する。第１実施例においては、親機２０は、子機３０から受信された時計データを子機時計バックアップデータとして格納すると共に当該時計データをカウントアップし、子機３０は、親機２０から子機時計バックアップデータを受信して、当該時計データに基づいて自己の時計データを設定する。具体的には、子機３０は、自己の時計が登録された際などに自己の時計データ（子機時計バックアップデータ）を親機２０に送信し、親機２０は、受信された子機時計バックアップデータを格納してカウントアップする。つまり、子機３０は、自己の時計データを親機２０にバックアップさせて、カウントアップさせる。そして、子機３０は、親機２０の通信圏外に一度出てから親機２０の通信圏内に再度戻った際や、子機３０の電源がオフからオンとなった際などに、親機２０に対して子機時計バックアップデータの送信を要求して、受信された子機時計バックアップデータを自己の時計データとして格納してカウントアップする。言い換えると、子機３０は、子機時計バックアップデータに基づいて自己の時計データを復旧させる。
【００２８】
次に、図２及び図３を参照して、第１実施例における処理を具体的に説明する。
【００２９】
図２は、子機３０における時計登録時に行われる処理を示すフローチャートである。ステップＳ１０１〜Ｓ１０３の処理は、子機３０の時計登録時において、子機３０によって実行される。また、ステップＳ２０１〜Ｓ２０４の処理は、親機２０によって繰り返し実行される。なお、基本的には、親機２０においては主制御部２１が当該処理を実行し、子機３０においては主制御部３１が当該処理を実行する。
【００３０】
まず、ステップＳ１０１では、子機３０は、時計入力に応じた時計登録操作を実行する。なお、子機３０は、時計登録された状態を認識するものとする。この後、処理はステップＳ１０２に進む。ステップＳ１０２では、子機３０は、登録された時計を自時計として格納する。具体的には、子機３０は、登録された時計に対応する時計データを、子機時計部３６に格納させてカウントアップ（更新）させる。そして、処理はステップＳ１０３に進む。ステップＳ１０３では、子機３０は、自己の時計データを親機２０に送信する。つまり、子機３０は、自己の時計データを子機時計バックアップデータとして親機２０に送信する。そして、子機３０の処理は終了する。
【００３１】
一方、ステップＳ２０１では、親機２０は、子機時計バックアップデータを受信したか否かを判定する。具体的には、上記のステップＳ１０３の処理において子機３０が送信した子機時計バックアップデータを受信したか否かを判定する。子機時計バックアップデータを受信した場合（ステップＳ２０１；Ｙｅｓ）、処理はステップＳ２０２に進み、子機時計バックアップデータを受信していない場合（ステップＳ２０１；Ｎｏ）、処理は終了する。
【００３２】
ステップＳ２０２では、親機２０は、ステップＳ２０１で受信した子機時計バックアップデータを格納する。具体的には、親機２０は、受信した子機時計バックアップデータを、子機時計バックアップ時計部２９に格納させてカウントアップ（更新）させる。そして、処理はステップＳ２０３に進む。
【００３３】
ステップＳ２０３では、親機２０は、ステップＳ２０１で受信した子機時計バックアップデータにて自己の時計データを設定する条件（以下、「親機時計上書き条件」と呼ぶ。）が成立しているか否かを判定する。この親機時計上書き条件は、例えばユーザにより設定される。一例としては、親機時計上書き条件は、（ａ）常に子機時計バックアップデータを破棄する設定、（ｂ）自己の時計データがない場合（未登録の場合）は子機時計バックアップデータを格納する設定、（ｃ）常に子機時計バックアップデータを格納する設定、のうちの少なくともいずれかがユーザにより選択されることで設定される。このように親機２０における子機時計バックアップデータの取り扱いについて多用な設定を設けることにより、ユーザの好みを反映することが可能となる。
【００３４】
親機時計上書き条件が成立している場合（ステップＳ２０３；Ｙｅｓ）、処理はステップＳ２０４に進み、親機時計上書き条件が成立していない場合（ステップＳ２０３；Ｎｏ）、処理は終了する。ステップＳ２０３では、親機２０は、子機時計バックアップデータに対応する時間を、自時計として格納する。具体的には、親機２０は、ステップＳ２０１で受信した子機時計バックアップデータを、親機時計部２６に格納させてカウントアップ（更新）させる。そして、親機２０の処理が終了する。
【００３５】
図３は、親機２０で格納している子機時計バックアップデータを子機３０に送信する場合に行われる処理を示すフローチャートである。ステップＳ３０１〜Ｓ３０４の処理は、子機３０の電源がオンとなった際に、子機３０によって実行される。また、ステップＳ４０１〜Ｓ４０２の処理は、親機２０によって繰り返し実行される。なお、基本的には、親機２０においては主制御部２１が当該処理を実行し、子機３０においては主制御部３１が当該処理を実行する。
【００３６】
まず、ステップＳ３０１では、子機３０が親機２０の通信圏内にあるか否かを判定する。例えば、子機３０が親機２０の通信圏外に一度出てから通信圏内に再度戻ったか否かを判定する。親機２０の通信圏内にある場合（ステップＳ３０１；Ｙｅｓ）、処理はステップＳ３０２に進み、親機２０の通信圏内にない場合（ステップＳ３０１；Ｎｏ）、処理は終了する。
【００３７】
ステップＳ３０２では、子機３０は、親機２０に対して、子機時計バックアップデータの送信を要求する。そして、処理はステップＳ３０３に進む。ここで、ステップＳ４０１において、親機２０は、子機３０から子機時計バックアップデータの送信の要求があったか否かを判定する。子機時計バックアップデータの送信の要求があった場合（ステップＳ４０１；Ｙｅｓ）、処理はステップＳ４０２に進む。この場合には、親機２０は子機時計バックアップデータを子機３０に送信し（ステップＳ４０２）、親機２０の処理は終了する。これに対して、子機時計バックアップデータの送信の要求がなかった場合（ステップＳ４０１；Ｎｏ）、処理は終了する。
【００３８】
次に、ステップＳ３０３では、子機３０は、親機２０から子機時計バックアップデータを受信したか否かを判定する。子機時計バックアップデータを受信した場合（ステップＳ３０３；Ｙｅｓ）、処理はステップＳ３０４に進み、子機時計バックアップデータを受信していない場合（ステップＳ３０３；Ｎｏ）、処理は終了する。ステップＳ３０４では、子機３０は、ステップＳ３０３で受信された子機時計バックアップデータに対応する時間を、自時計として格納する。具体的には、子機３０は、受信した子機時計バックアップデータを、子機時計部３６に格納させてカウントアップ（更新）させる。そして、子機３０の処理は終了する。
【００３９】
以上説明した第１実施例によれば、親機２０で子機時計バックアップデータを格納してカウントアップすることで、当該子機時計バックアップデータを用いて、子機３０の時計データを適切に自動調整することができる。つまり、子機３０が親機２０の通信圏外に一度出てから親機２０の通信圏内に再度戻った際や、子機３０の電源がオフからオンとなった際などに、子機時計バックアップデータを用いて子機３０の時計データを適切に自動調整することができる。また、親機２０の電源を入れて時計登録をした後に子機３０の電池を入れたり、子機３０の電池を入れて時計登録をした後に親機２０の電源を入れたりした場合、自動的に親子の時計が設定されて更新されることとなるため、ユーザの利便性を向上させることができる。
【００４０】
なお、第１実施例においては、子機３０が親機２０の通信圏外にある際に、子機３０における時計データのカウントアップ及び当該時計データの表示を停止状態にすることができる。こうするのは、前述したように、子機３０が親機２０の通信圏外に一度出てから親機２０の通信圏内に再度戻った際に、親機２０に格納された子機時計バックアップデータにて子機３０の時計データを復旧させることができるからである。このように子機３０において時計データのカウントアップ及び表示を停止することにより、子機３０の電源部（バッテリ）３４の消耗を低減し、長持ちさせることが可能となる。例えば、時計データのカウントアップのために専用の水晶発振子などが実装されている場合には、その動作を停止することができるので、電源部（バッテリ）３４の消耗を低減することができる。したがって、子機が親機２０の通信圏内に戻ったときに速やかに時計データを使用可能になったり、また、子機３０の電源部（バッテリ）３４の消耗を低減したりすることが可能となる。
【００４１】
また、第１実施例では、子機３０の時計データが消滅した場合に（例えば、上記のように子機３０が親機２０の通信圏外にある際に時計データのカウントアップを停止状態にした場合）、時計データが消滅したことを示す情報を表示させることで、ユーザの意思で、子機３０の時計データを復旧させることができる。この場合、ユーザが所定の操作を行った際に、親機２０からの子機時計バックアップデータの送信を子機３０に要求させることができる。
【００４２】
更に、上記では、１個の子機３０にて構成されるコードレス電話機１００が行う処理を示したが、複数の子機にて構成されるコードレス電話機によっても同様の処理を行うことができる。
【００４３】
図４は、第１実施例における変形例に係るコードレス電話機１０１の概略構成図を示す。当該コードレス電話機１０１は、本発明における時間設定システムの一例である。なお、図１に示したものと同一の構成要素に対しては同一の符号を付し、その説明を省略する。
【００４４】
コードレス電話機１０１は、親機２０Ａと、複数（ｎ個）の子機３０Ａ１〜３０Ａｎとを有する。親機２０Ａは、前述した親機２０と異なり、子機３０Ａ１〜３０Ａｎそれぞれの子機時計バックアップデータを格納してカウントアップする子機時計バックアップ時計部２９Ａ１〜２９Ａｎを有する。子機３０Ａ１〜３０Ａｎは、前述した子機３０と同様に構成されている、つまり同一の構成要素を有する。なお、親機２０Ａは、第１装置に相当し、第１カウントアップ手段及び第１送信手段として機能する。また、子機３０Ａ１〜３０Ａｎは、それぞれ、第２装置に相当し、第２受信手段及び第２時計データ設定手段として機能する。
【００４５】
このようにコードレス電話機１０１においては、親機２０Ａは、子機３０Ａ１〜３０Ａｎから受信された複数の時計データを子機時計バックアップデータとして格納すると共に当該複数の時計データをカウントアップし、子機３０Ａ１〜３０Ａｎは、それぞれ、親機２０Ａから対応する子機時計バックアップデータを受信して、当該時計データに基づいて自己の時計データを設定する。また、当該構成では、前述した親機時計上書き条件は、例えば（ａ）常に子機時計バックアップデータを破棄する設定、（ｂ）自己の時計データがない場合（未登録の場合）は設定（指定）した子機の子機時計バックアップデータを格納する設定、（ｃ）常に設定（指定）した子機の子機時計バックアップデータを格納する設定、（ｄ）自己の時計データがない場合（未登録の場合）は優先設定（指定）した子機の子機時計バックアップデータを格納する設定、（ｅ）常に優先設定（指定）した子機の子機時計バックアップデータを格納する設定、のうちの少なくともいずれかに基づいて設定される。
【００４６】
なお、親機２０Ａは、子機３０Ａ１〜３０Ａｎ全ての子機時計バックアップデータを格納してカウントアップする必要はなく、子機３０Ａ１〜３０Ａｎのうちの指定した子機のみの子機時計バックアップデータを格納してカウントアップしても良い。
【００４７】
［第２実施例］
次に、第２実施例について説明する。前述した第１実施例では、親機２０は子機時計バックアップデータを格納してカウントアップし、子機３０は当該子機時計バックアップデータに基づいて自己の時計データを設定していた。これに対して、第２実施例では、子機は、親機から受信された時計データ（以下、「親機時計バックアップデータ」と呼ぶ。）を格納してカウントアップし、親機は、子機から親機時計バックアップデータを受信して、当該時計データに基づいて自己の時計データを設定する。つまり、第１実施例では、子機３０の時計データを親機２０にバックアップさせてカウントアップさせていたのに対して、第２実施例では、親機の時計データを子機にバックアップさせてカウントアップさせる。より具体的には、第２実施例では、親機は、親機時計バックアップデータが必要な際（例えば親機の電源がオフからオンとなった際など）に、子機に対して親機時計バックアップデータの送信を要求して、受信された親機時計バックアップデータを自己の時計データとして格納してカウントアップする。言い換えると、親機は、親機時計バックアップデータに基づいて自己の時計データを復旧させる。
【００４８】
次に、図５乃至図７を参照して、第２実施例について具体的に説明する。
【００４９】
図５は、第２実施例に係るコードレス電話機１０２の概略構成図を示す。当該コードレス電話機１０２は、本発明における時間設定システムの一例である。なお、図１に示したものと同一の構成要素に対しては同一の符号を付し、その説明を省略する。
【００５０】
コードレス電話機１０２は、親機２０Ｂと子機３０Ｂとを有する。親機２０Ｂは、前述した親機２０と異なり、子機時計バックアップ時計部２９を有しない。子機３０Ｂは、前述した子機３０と異なり、親機時計バックアップ時計部３９を有する。親機時計バックアップ時計部３９は、親機２０Ｂから取得された親機時計バックアップデータを格納すると共にカウントアップ（更新）する。具体的には、親機時計バックアップ時計部３９は、親機２０Ｂから時計データが取得された時点から、当該時計データのカウントアップを行う。例えば、時計データが取得された時点から１分３２秒後は、当該時計データに対して１分３２秒を加算した時計データとなる。なお、子機３０Ｂは、第１装置に相当し、第１カウントアップ手段及び第１送信手段として機能する。また、親機２０Ｂは、第２装置に相当し、第２受信手段及び第２時計データ設定手段として機能する。加えて、親機時計バックアップデータは、カウントアック時計データに相当する。
【００５１】
図６は、親機２０Ｂにおける時計登録時に行われる処理を示すフローチャートである。ステップＳ５０１〜Ｓ５０３の処理は、親機２０Ｂの時計登録時において、親機２０Ｂによって実行される。また、ステップＳ６０１〜Ｓ６０４の処理は、子機３０Ｂによって繰り返し実行される。なお、基本的には、親機２０Ｂにおいては主制御部２１が当該処理を実行し、子機３０Ｂにおいては主制御部３１が当該処理を実行する。
【００５２】
まず、ステップＳ５０１では、親機２０Ｂは、時計入力に応じた時計登録操作を実行する。なお、親機２０Ｂは、時計登録された状態を認識するものとする。この後、処理はステップＳ５０２に進む。ステップＳ５０２では、親機２０Ｂは、登録された時計を自時計として格納する。具体的には、親機２０Ｂは、登録された時計に対応する時計データを、親機時計部２６に格納させてカウントアップ（更新）させる。そして、処理はステップＳ５０３に進む。ステップＳ５０３では、親機２０Ｂは、自己の時計データを子機３０Ｂに送信する。つまり、親機２０Ｂは、自己の時計データを親機時計バックアップデータとして子機３０Ｂに送信する。そして、親機２０Ｂの処理は終了する。
【００５３】
一方、ステップＳ６０１では、子機３０Ｂは、親機時計バックアップデータを受信したか否かを判定する。具体的には、上記のステップＳ５０３の処理において親機２０Ｂが送信した親機時計バックアップデータを受信したか否かを判定する。親機時計バックアップデータを受信した場合（ステップＳ６０１；Ｙｅｓ）、処理はステップＳ６０２に進み、親機時計バックアップデータを受信していない場合（ステップＳ６０１；Ｎｏ）、処理は終了する。
【００５４】
ステップＳ６０２では、子機３０Ｂは、ステップＳ６０１で受信した親機時計バックアップデータを格納する。具体的には、子機３０Ｂは、受信した親機時計バックアップデータを、親機時計バックアップ時計部３９に格納させてカウントアップ（更新）させる。そして、処理はステップＳ６０３に進む。
【００５５】
ステップＳ６０３では、子機３０Ｂは、ステップＳ６０１で受信した親機時計バックアップデータにて自己の時計データを設定する条件（以下、「子機時計上書き条件」と呼ぶ。）が成立しているか否かを判定する。この子機時計上書き条件は、例えばユーザにより設定される。一例としては、子機時計上書き条件は、（ａ）常に親機時計バックアップデータを破棄する設定、（ｂ）自己の時計データがない場合（未登録の場合）は親機時計バックアップデータを格納する設定、（ｃ）常に親機時計バックアップデータを格納する設定、のうちの少なくともいずれかがユーザにより選択されることで設定される。このように子機３０Ｂにおける親機時計バックアップデータの取り扱いについて多用な設定を設けることにより、ユーザの好みを反映することが可能となる。
【００５６】
子機時計上書き条件が成立している場合（ステップＳ６０３；Ｙｅｓ）、処理はステップＳ６０４に進み、子機時計上書き条件が成立していない場合（ステップＳ６０３；Ｎｏ）、処理は終了する。ステップＳ６０３では、子機３０Ｂは、親機時計バックアップデータに対応する時間を、自時計として格納する。具体的には、子機３０Ｂは、ステップＳ６０１で受信した親機時計バックアップデータを、子機時計部３６に格納させてカウントアップ（更新）させる。そして、子機３０Ｂの処理が終了する。
【００５７】
図７は、子機３０Ｂで格納している親機時計バックアップデータを親機２０Ｂに送信する場合に行われる処理を示すフローチャートである。ステップＳ７０１〜Ｓ７０５の処理は、親機２０Ｂの電源がオンとなった際に、親機２０Ｂによって実行される。また、ステップＳ８０１〜Ｓ８０２の処理は、子機３０Ｂによって繰り返し実行される。なお、基本的には、親機２０Ｂにおいては主制御部２１が当該処理を実行し、子機３０Ｂにおいては主制御部３１が当該処理を実行する。
【００５８】
まず、ステップＳ７０１では、親機２０Ｂは、子機３０Ｂが親機２０Ｂの通信圏内にあるか否かを判定する。子機３０Ｂが通信圏内にある場合（ステップＳ７０１；Ｙｅｓ）、処理はステップＳ７０２に進み、子機３０Ｂが通信圏内にない場合（ステップＳ７０１；Ｎｏ）、処理は終了する。
【００５９】
ステップＳ７０２では、親機２０Ｂは、親機時計バックアップデータが必要な状況であるか否かを判定する。親機時計バックアップデータが必要である場合（ステップＳ７０２；Ｙｅｓ）、処理はステップＳ７０３に進み、親機時計バックアップデータが必要でない場合（ステップＳ７０２；Ｎｏ）、処理は終了する。
【００６０】
ステップＳ７０３では、親機２０Ｂは、子機３０Ｂに対して、親機時計バックアップデータの送信を要求する。そして、処理はステップＳ７０４に進む。ここで、ステップＳ８０１において、子機３０Ｂは、親機２０Ｂから親機時計バックアップデータの送信の要求があったか否かを判定する。親機時計バックアップデータの送信の要求があった場合（ステップＳ８０１；Ｙｅｓ）、処理はステップＳ８０２に進む。この場合には、子機３０Ｂは親機時計バックアップデータを親機２０Ｂに送信し（ステップＳ８０２）、子機３０Ｂの処理は終了する。これに対して、親機時計バックアップデータの送信の要求がなかった場合（ステップＳ８０１；Ｎｏ）、処理は終了する。
【００６１】
次に、ステップＳ７０４では、親機２０Ｂは、子機３０Ｂから親機時計バックアップデータを受信したか否かを判定する。親機時計バックアップデータを受信した場合（ステップＳ７０４；Ｙｅｓ）、処理はステップＳ７０５に進み、親機時計バックアップデータを受信していない場合（ステップＳ７０４；Ｎｏ）、処理は終了する。ステップＳ７０５では、親機２０Ｂは、ステップＳ７０４で受信された親機時計バックアップデータに対応する時間を、自時計として格納する。具体的には、親機２０Ｂは、受信した親機時計バックアップデータを、親機時計部２６に格納させてカウントアップ（更新）させる。そして、親機２０Ｂの処理は終了する。
【００６２】
以上説明した第２実施例によっても、子機３０Ｂで親機時計バックアップデータを格納してカウントアップすることで、当該親機時計バックアップデータを用いて、親機２０Ｂの時計データを適切に自動調整することができる。つまり、親機２０Ｂの電源がオフからオンとなった際などに、親機時計バックアップデータを用いて親機２０Ｂの時計データを適切に自動調整することができる。また、第２実施例によれば、親機２０Ｂの停電時における時計保持、更新が必要ないため、親機２０Ｂの回路の簡素化やバックアップ電池削除などが可能となる。更に、親機２０の電源を入れて時計登録をした後に子機３０の電池を入れたり、子機３０の電池を入れて時計登録をした後に親機２０の電源を入れたりした場合、自動的に親子の時計が設定されて更新されることとなるため、ユーザの利便性を向上させることができる。
【００６３】
なお、第２実施例では、親機２０Ｂの時計データが消滅した場合に、時計データが消滅したことを示す情報を表示させることで、ユーザの意思で、親機２０Ｂの時計データを復旧させることができる。この場合、ユーザが所定の操作を行った際に、子機３０Ｂからの親機時計バックアップデータの送信を親機２０Ｂに要求させることができる。
【００６４】
また、上記では、１個の子機３０Ｂにて構成されるコードレス電話機１０２が行う処理を示したが、複数の子機にて構成されるコードレス電話機によっても同様の処理を行うことができる。
【００６５】
図８は、第２実施例における変形例に係るコードレス電話機１０３の概略構成図を示す。当該コードレス電話機１０３は、本発明における時間設定システムの一例である。なお、図１及び図５に示したものと同一の構成要素に対しては同一の符号を付し、その説明を省略する。
【００６６】
コードレス電話機１０３は、親機２０Ｂと、複数（ｎ個）の子機３０Ｂ１〜３０Ｂｎとを有する。コードレス電話機１０３における親機２０Ｂは、前述した親機２０Ｂと同様に構成されている。子機３０Ｂ１〜３０Ｂｎは、それぞれ、前述した子機３０と同様に構成されている。具体的には、子機３０Ｂ１〜３０Ｂｎは、それぞれ、親機時計バックアップ時計部３９を有し、親機２０Ｂから取得された親機時計バックアップデータを格納すると共にカウントアップ（更新）する。なお、子機３０Ｂ１〜３０Ｂｎは、第１装置における複数の装置に相当し、それぞれ第１カウントアップ手段及び第１送信手段として機能し、親機２０Ｂは、第２受信手段及び第２時計データ設定手段として機能する。
【００６７】
このようにコードレス電話機１０３を構成した場合、子機３０Ｂ１〜３０Ｂｎは、それぞれ、親機２０Ｂから受信された時計データを親機時計バックアップデータとして格納すると共にカウントアップし、親機２０Ｂは、子機３０Ｂ１〜３０Ｂｎから複数の親機時計バックアップデータを受信して、当該複数の親機時計バックアップデータに基づいて自己の時計データを設定する。この場合、親機２０Ｂは、例えば子機３０Ｂ１〜３０Ｂｎにおける登録番号の小さい順や大きい順に、親機時計バックアップデータの送信を要求する（親機２０Ｂの都合により自由に取得可能である）。また、親機２０Ｂは、子機３０Ｂ１〜３０Ｂｎから受信された複数の親機時計バックアップデータを比較することで、データの一致が多いもので自己の時計データの設定を行う。例えば、複数の親機時計バックアップデータから多数決により決定した時間データや、複数の親機時計バックアップデータを平均した時間データなどによって設定を行う。
【００６８】
このような変形例によれば、複数の子機３０Ｂ１〜３０Ｂｎに格納された親機時計バックアップデータを用いて、親機２０Ｂの時計データを適切に自動調整することができる。よって、親機２０Ｂの時計データを自動調整する場合において、複数の時計データが親機２０Ｂ側に送信されることによるユーザの混乱を抑制することができる。
【００６９】
なお、親機２０Ｂは、子機３０Ｂ１〜３０Ｂｎ全てに対して親機時計バックアップデータを送信して格納させる必要はなく、子機３０Ｂ１〜３０Ｂｎのうちの指定した子機にのみ、親機時計バックアップデータを送信して格納させても良い。つまり、親機２０Ｂの時計登録時において、子機３０Ｂ１〜３０Ｂｎのうち、予めユーザなどによって指定された子機にのみ、親機時計バックアップデータを送信して、格納・カウントアップさせれば良い。この場合、親機２０Ｂは、子機３０Ｂ１〜３０Ｂｎのうちの指定した子機において、登録番号の小さい順や大きい順に、親機時計バックアップデータの送信を要求する（親機２０Ｂの都合により自由に取得可能である）。
【００７０】
［第３実施例］
次に、第３実施例について説明する。前述した第１及び第２実施例では、子機及び親機のいずれか一方の時計データを他方にバックアップさせてカウントアップさせることで、当該時計データを用いて子機及び親機のいずれか一方の時計データを設定していた。これに対して、第３実施例では、子機の時計データを親機にバックアップさせてカウントアップさせると共に、親機の時計データを子機にバックアップさせてカウントアップさせることで、バックアップされた時計データを用いて、子機及び親機の両方の時計データを設定する。つまり、第３実施例では、親機に子機時計バックアップデータを格納させてカウントアップさせると共に、子機に親機時計バックアップデータを格納させてカウントアップさせることで、子機については親機に格納された子機時計バックアップデータに基づいて時計データを設定させ、親機については子機に格納された親機時計バックアップデータに基づいて時計データを設定させる。
【００７１】
図９は、第３実施例に係るコードレス電話機１０４の概略構成図を示す。当該コードレス電話機１０４は、本発明における時間設定システムの一例である。なお、図１や図５に示したものと同一の構成要素に対しては同一の符号を付し、その説明を省略する。
【００７２】
コードレス電話機１０４は、親機２０Ｃと子機３０Ｃとを有する。親機２０Ｃは、前述した親機２０（図１参照）と同様に構成されている。具体的には、親機２０Ｃは、子機時計バックアップ時計部２９を有し、子機３０Ｃから取得された子機時計バックアップデータを格納すると共にカウントアップ（更新）する。子機３０Ｃは、前述した子機３０Ｂ（図５参照）と同様に構成されている。具体的には、子機３０Ｃは、親機時計バックアップ時計部３９を有し、親機２０Ｃから取得された親機時計バックアップデータを格納すると共にカウントアップ（更新）する。なお、親機２０Ｃ及び子機３０Ｃのいずれか一方が第１装置に相当し、他方が第２装置に相当する。つまり、親機２０Ｃ及び子機３０Ｃのいずれか一方が、第１カウントアップ手段、第１送信手段、及び第１受信手段、並びに第１時計データ設定手段として機能し、他方が、第２カウントアップ手段、第２送信手段、及び第２受信手段、並びに第２時計データ設定手段として機能する。
【００７３】
このようなコードレス電話機１０４は、基本的には、前述したコードレス電話機１００やコードレス電話機１０２などと同様の処理を行う。具体的には、親機２０Ｃは、子機３０Ｃから受信された時計データを子機時計バックアップデータとして格納すると共に当該時計データをカウントアップし、子機３０Ｃは、親機２０Ｃから子機時計バックアップデータを受信して、当該時計データに基づいて自己の時計データを設定する。詳しくは、子機３０Ｃは、親機２０Ｃの通信圏外に一度出てから親機２０Ｃの通信圏内に再度戻った際や、子機３０Ｃの電源がオフからオンとなった際などに、親機２０Ｃに対して子機時計バックアップデータの送信を要求する。また、子機３０Ｃは、親機２０Ｃから受信された時計データを親機時計バックアップデータとして格納すると共に当該時計データをカウントアップし、親機２０Ｃは、子機３０Ｃから親機時計バックアップデータを受信して、当該時計データに基づいて自己の時計データを設定する。詳しくは、親機２０Ｃは、親機時計バックアップデータが必要な際（例えば親機２０Ｃの電源がオフからオンとなった際など）に、子機３０Ｃに対して親機時計バックアップデータの送信を要求する。
【００７４】
なお、親機２０Ｃにおける親機時計上書き条件、及び子機３０Ｃにおける子機時計上書き条件は、前述したような方法でユーザなどにより設定される。つまり、ユーザなどによる設定に応じて、親機２０Ｃにおける子機時計バックアップデータの取り扱い、及び子機３０Ｃにおける親機時計バックアップデータの取り扱いが設定される。
【００７５】
更に、上記のコードレス電話機１０４においては、親機２０Ｃは、子機時計バックアップデータを格納していない場合には、子機３０Ｃから受信された親機時計バックアップデータを、そのまま子機時計バックアップデータとして格納してカウントアップすることができる。また、子機３０Ｃは、親機時計バックアップデータを格納していない場合には、親機２０Ｃから受信された子機時計バックアップデータを、そのまま親機時計バックアップデータとして格納してカウントアップすることができる。
【００７６】
加えて、上記のコードレス電話機１０４においては、親機２０Ｃ及び子機３０Ｃが他方からバックアップデータを受信する際に、自己が格納しているバックアップデータを送信することができる。例えば、親子間の通常の通信において、バックアップデータを送受信することができる。具体的には、親機２０Ｃは、子機３０Ｃから親機時計バックアップデータを受信する際に、格納している子機時計バックアップデータを子機３０Ｃに対して送信する。また、子機３０Ｃは、親機２０Ｃから子機時計バックアップデータを受信する際に、格納している親機時計バックアップデータを親機２０Ｃに対して送信する。
【００７７】
以上説明した第３実施例によっても、親機２０Ｃ及び子機３０Ｃで互いの時計データをバックアップしてカウントアップするため、親機２０Ｃ及び子機３０Ｃの両方の時計データを適切に自動調整することができる。例えば、親機２０Ｃの電源を入れて時計登録をした後に子機３０Ｃの電池を入れたり、子機３０Ｃの電池を入れて時計登録をした後に親機２０Ｃの電源を入れたりした場合、自動的に親子の時計が設定されて更新されることとなるため、ユーザの利便性を向上させることができる。
【００７８】
なお、第３実施例では、親機２０Ｃ又は子機３０Ｃの時計データが消滅した場合に、時計データが消滅したことを示す情報を表示させることで、ユーザの意思で、親機２０Ｃ又は子機３０Ｃの時計データを復旧させることができる。この場合、ユーザが所定の操作を行った際に、親機２０Ｃによる親機時計バックアップデータの送信要求、若しくは子機３０Ｃによる子機時計バックアップデータの送信要求をさせることができる。
【００７９】
また、上記では、１個の子機３０Ｃにて構成されるコードレス電話機１０４が行う処理を示したが、複数の子機にて構成されるコードレス電話機によっても同様の処理を行うことができる。
【００８０】
図１０は、第３実施例における変形例に係るコードレス電話機１０５の概略構成図を示す。当該コードレス電話機１０５は、本発明における時間設定システムの一例である。なお、図９に示したものと同一の構成要素に対しては同一の符号を付し、その説明を省略する。
【００８１】
コードレス電話機１０５は、親機２０Ｄと、複数（ｎ個）の子機３０Ｄ１〜３０Ｄｎとを有する。親機２０Ｄは、前述した親機２０Ｃと異なり、子機３０Ｄ１〜３０Ｄｎそれぞれの子機時計バックアップデータを格納してカウントアップする子機時計バックアップ時計部２９Ｄ１〜２９Ｄｎを有する。子機３０Ｄ１〜３０Ｄｎは、前述した子機３０Ｄと同様に構成されている。なお、親機２０Ｄ及び子機３０Ｄ１〜３０Ｄｎのいずれか一方が第１装置に相当し、他方が第２装置に相当する。
【００８２】
このようにコードレス電話機１０５を構成した場合、基本的には、前述したコードレス電話機１０４と同様の処理を行う。具体的には、親機２０Ｄは、子機３０Ｄ１〜３０Ｄｎから受信された複数の時計データを子機時計バックアップデータとして格納すると共に当該時計データをカウントアップし、子機３０Ｄ１〜３０Ｄｎは、それぞれ、親機２０Ｄから対応する子機時計バックアップデータを受信して、当該時計データに基づいて自己の時計データを設定する。また、子機３０Ｄ１〜３０Ｄｎは、親機２０Ｄから受信された時計データを親機時計バックアップデータとして格納すると共に当該時計データをカウントアップし、親機２０Ｄは、子機３０Ｄ１〜３０Ｄｎから複数の親機時計バックアップデータを受信して、当該複数の親機時計バックアップデータに基づいて自己の時計データを設定する。この場合、親機２０Ｄは、例えば子機３０Ｄ１〜３０Ｄｎにおける登録番号の小さい順や大きい順に、親機時計バックアップデータの送信を要求する（親機２０Ｄの都合により自由に取得可能である）。また、親機２０Ｄは、子機３０Ｄ１〜３０Ｄｎから受信された複数の親機時計バックアップデータを比較することで、データの一致が多いもので自己の時計データの設定を行う。例えば、複数の親機時計バックアップデータから多数決により決定した時間データや、複数の親機時計バックアップデータを平均した時間データなどによって設定を行う。更に、親機２０Ｄは、子機時計バックアップデータを格納していない場合には、子機３０Ｄ１〜３０Ｄｎから受信された親機時計バックアップデータを、そのまま、対応する子機の子機時計バックアップデータとして格納してカウントアップすることができる。
【００８３】
なお、親機２０Ｄは、子機３０Ｄ１〜３０Ｄｎ全てに対して親機時計バックアップデータを送信して格納させる必要はなく、子機３０Ｄ１〜３０Ｄｎのうちの指定した子機にのみ、親機時計バックアップデータを送信して格納させても良い。この場合、親機２０Ｄは、子機３０Ｄ１〜３０Ｄｎのうちの指定した子機において、登録番号の小さい順や大きい順に、親機時計バックアップデータの送信を要求する（親機２０Ｄの都合により自由に取得可能である）。更に、親機２０Ｄは、子機３０Ｄ１〜３０Ｄｎ全ての子機時計バックアップデータを格納してカウントアップする必要はなく、子機３０Ｄ１〜３０Ｄｎのうちの指定した子機のみの子機時計バックアップデータを格納してカウントアップしても良い。
【００８４】
［変形例］
本発明の適用は、コードレス電話機に限定はされない。本発明は、時計機能を有する複数の装置を具備し、親子関係を形成して通信を行うようなシステムに対して適用することができる。例えば、ドアホン子機やドアホン親機などを有するドアホンシステムに対して適用することができる。
【図面の簡単な説明】
【００８５】
【図１】第１実施例に係るコードレス電話機の概略構成図を示す。
【図２】第１実施例において子機の時計登録時に行われる処理を示すフローチャートである。
【図３】第１実施例において子機時計バックアップデータを子機に送信する場合に行われる処理を示すフローチャートである。
【図４】第１実施例の変形例に係るコードレス電話機の概略構成図を示す。
【図５】第２実施例に係るコードレス電話機の概略構成図を示す。
【図６】第２実施例において親機の時計登録時に行われる処理を示すフローチャートである。
【図７】第２実施例において親機時計バックアップデータを親機に送信する場合に行われる処理を示すフローチャートである。
【図８】第２実施例の変形例に係るコードレス電話機の概略構成図を示す。
【図９】第３実施例に係るコードレス電話機の概略構成図を示す。
【図１０】第３実施例の変形例に係るコードレス電話機の概略構成図を示す。
【符号の説明】
【００８６】
２０  親機
２１、３１  主制御部
２４、３４  電源部
２５、３５  無線部
２６  親機時計部
２７、３７  メモリ部
２８  回線制御部
２９  子機バックアップ時計部
３０  子機
３６  子機時計部
３９  親機バックアップ時計部
１００  コードレス電話機
【図１】
2010014605.tif 000003
【図２】
2010014605.tif 000004
【図３】
2010014605.tif 000005
【図４】
2010014605.tif 000006
【図５】
2010014605.tif 000007
【図６】
2010014605.tif 000008
【図７】
2010014605.tif 000009
【図８】
2010014605.tif 000010
【図９】
2010014605.tif 000011
【図１０】
2010014605.tif 000012